(57)【要約】【課題】  排水桝の大小に拘わらず容易に取り付けることができ、さらには安価に製造することができる排水桝用防臭装置を得る。【解決手段】  下流管から上流管への臭気ガスの逆流を防止する排水桝用防臭装置１であって、排水桝本体５の内壁面に沿って垂下され排水桝本体５の内壁下部に開口する上流管接続口６に当接して遮蔽し、上流管から流入する排水によって上流管接続口を開く可撓性あるシート状遮蔽部材７と、シート状遮蔽部材７の上部を排水桝本体５の内壁に固定する固定手段８とを備えた。【選択図】  図１
2017226969.tif 000002
【特許請求の範囲】
【請求項１】
下流管から上流管への臭気ガスの逆流を防止する排水桝用防臭装置であって、排水桝本体の内壁面に沿って垂下され前記排水桝本体の内壁下部に開口する上流管接続口に当接して遮蔽し、上流管から流入する排水によって上流管接続口を開く可撓性あるシート状遮蔽部材と、前記シート状遮蔽部材の上部を前記排水桝本体の内壁に固定する固定手段とを備えたことを特徴とする排水桝用防臭装置。
【請求項２】
前記シート状遮蔽部材の下縁には、外形が前記上流管接続口の形状に沿った形状の突面部が形成されていることを特徴とする請求項１に記載の排水桝用防臭装置。
【請求項３】
前記突面部の下端に錘が設けられていることを特徴とする請求項２に記載の排水桝用防臭装置。
【請求項４】
前記シート状遮蔽部材には、前記上流管接続口の上部近傍の位置で、前記シート状遮蔽部材を前記排水桝本体の内壁面の周壁に沿って張り広げる張り部材が設けられていることを特徴とする請求項１乃至３のいずれか１に記載の排水桝用防臭装置。
【請求項５】
前記シート状遮蔽部材は、耐薬品性素材により形成されていることを特徴とする請求項１乃至４のいずれか１に記載の排水桝用防臭装置。
【請求項６】
前記固定手段は、外面を前記排水桝本体の内壁面に圧接させる圧接面としたＣ型状のバンド本体と、バンド本体の両端内面側に配置され、バンド本体を拡張させる拡張具を備えた固定バンドであることを特徴とする請求項１乃至５のいずれか１に記載の排水桝用防臭装置。
【発明の詳細な説明】
【技術分野】
【０００１】
本発明は、家庭等で生じる排水を排出する排水管の中継点や合流点に設置される既設の排水桝内に取り付けられ、排水管の下流側から上流側への臭気ガスの逆流を防止する排水桝用防臭装置に関する。
【背景技術】
【０００２】
家庭等から排出される排水にあっては、家庭の水回りと接続され、家庭等で生じる排水を排出する排水管の中継点や合流点に設置された排水桝を経由して下水道本管へ排出させており、排水桝には排水管における家庭等側が上流管として接続し、下水道本管側が下流管として接続されている。
下水道本管に流出する排水は、その殆どが汚水であり、臭気ガスを発生し、また汚水物質同士が反応して臭気ガスを発生させるなど、臭気ガス発生の源となっており、この臭気ガスが下水道本管内の気圧の具合によっては下流管から上流管へ逆流し、建物内に悪臭となって放出されるといったことがある。
【０００３】
従来、このような事態を回避するために、既設の排水桝に取り付けて下流管から上流管へ逆流を防止する装置として、排水桝本体の上流管接続口に、上流管接続口の内端側から嵌挿接続される略円筒状の逆流防止装置本体と、この逆流防止装置本体に設けられ上流管接続口に上流管から流入する排水によって排水桝本体内に向かって開口される弁体と、逆流防止装置本体を排水桝本体内から上流管接続口に差し込み接続する取り付け装置の取り付け部を具備した公共桝用逆流防止装置がある（例えば、特許文献１参照。）。
【先行技術文献】
【特許文献】
【０００４】
【特許文献１】特開２００６−２８３５４７号公報
【発明の概要】
【発明が解決しようとする課題】
【０００５】
特許文献１に記載された公共桝用逆流防止装置によれば、上流管接続口に上流管から流入する排水によって排水桝本体内に向かって開口される弁体を設けた逆流防止装置本体を、専用の取付装置を用いて排水桝本体の上流管接続口に、上流管接続口の内端側から嵌挿接続して取り付けるので、取り付け作業に手間がかかり、また、特に小形の排水桝本体での取り付け作業には困難な作業が強いられといった問題があった。
【０００６】
本発明の目的は、排水桝の大小に拘わらず容易に取り付けることができ、さらには安価に製造することができる排水桝用防臭装置を提供することにある。
【課題を解決するための手段】
【０００７】
上記の目的を達成するために、請求項１に記載の発明は、下流管から上流管への臭気ガスの逆流を防止する排水桝用防臭装置であって、排水桝本体の内壁面に沿って垂下され前記排水桝本体の内壁下部に開口する上流管接続口に当接して遮蔽し、上流管から流入する排水によって上流管接続口を開く可撓性あるシート状遮蔽部材と、前記シート状遮蔽部材の上部を前記排水桝本体の内壁に固定する固定手段とを備えたことを特徴とする。
【０００８】
請求項１に記載の発明によれば、排水桝への排水桝用防臭装置の取り付けは、シート状遮蔽部材を排水桝本体の内壁面に沿って垂下して、前記排水桝本体の内壁下部に開口する前記上流管接続口に当接して遮蔽させた状態とし、この状態で前記固定手段により前記シート状遮蔽部材の上部を前記排水桝本体の内壁に固定するといった作業により排水桝に取り付けることができるので、排水桝への排水桝用防臭装置の取り付け作業を容易に行うことができ、しかも排水桝用防臭装置の小型化が可能となり、小形の排水桝であっても容易に取り付けることができる。
前記排水桝本体の前記上流管接続口に当接している前記シート状遮蔽部材は、前記上流管から流入する排水によって前記上流管接続口を開く可撓性を有しているので、前記上流管からの排水の流入を妨げるものではなく、そして、前記下流管から前記排水桝本体内へ臭気ガスが逆流してきた場合、前記排水桝本体の前記上流管接続口に当接している前記シート状遮蔽部材により前記上流管への臭気ガスの逆流を防止することができる。
また、構成が簡単なので製造が容易であり、安価に得ることができる。
【０００９】
請求項２に記載の発明は、請求項１に記載の、前記シート状遮蔽部材の下縁には、外形が前記上流管接続口の形状に沿った形状の突面部が形成されていることを特徴とする。
【００１０】
請求項２に記載の発明によれば、前記シート状遮蔽部材の下縁に形成されている突面部により前記上流管接続口の遮蔽精度が向上し、前記上流管への臭気ガスの逆流をより効果的に防止することができる。
【００１１】
請求項３に記載の発明は、請求項２に記載の、前記突面部の下端に錘が設けられていることを特徴とする。
【００１２】
請求項３に記載の発明によれば、突面部の下端に設けられた錘が突面部を下方に引っ張るので、突面部の下端の捲れが防止され、上流管接続口の遮蔽をより確実なものとする。
【００１３】
請求項４に記載の発明は、請求項１乃至３のいずれか１に記載の、前記シート状遮蔽部材には、前記上流管接続口の上部近傍の位置で、前記シート状遮蔽部材を前記排水桝本体の内壁面の周壁に沿って張り広げる張り部材が設けられていることを特徴とする。
【００１４】
請求項４に記載の発明によれば、前記シート状遮蔽部材を排水桝本体の内壁面に沿って垂下したシート状遮蔽部材の前記上流管接続口への当接をより確実なものとすることができ、前記上流管接続口の遮蔽精度が向上し、前記上流管への臭気ガスの逆流をより効果的に防止することができる。
【００１５】
請求項５に記載の発明は、請求項１乃至４のいずれか１に記載の、前記シート状遮蔽部材は、耐薬品性素材により形成されていることを特徴とする。
【００１６】
請求項５に記載の発明によれば、前記下流管から前記排水桝本体内へ逆流した下水道本管で発生した臭気ガスが、硫化水素のような有害ガスであっても、前記シート状遮蔽部材が腐蝕するおそれはない。
【００１７】
請求項６に記載の発明は、請求項１乃至５のいずれか１に記載の、前記固定手段は、外面を前記排水桝本体の内壁面に圧接させる圧接面としたＣ型状のバンド本体と、バンド本体の両端内面側に配置され、バンド本体を拡張させる拡張具を備えた固定バンドであることを特徴とする。
【００１８】
請求項６に記載の発明によれば、排水桝への排水桝用防臭装置の取り付けは、前記排水桝本体の内壁面に沿って垂下した前記シート状遮蔽部材の上部にＣ型状の前記バンド本体の圧接面となる外面を前記排水桝本体の内壁面に押し付けるように押し当て、拡張具で前記バンド本体を拡張し、前記シート状遮蔽部材を前記バンド本体の外面と前記排水桝本体の内壁面との間に挟むようにして前記バンド本体の外面を前記排水桝本体の内壁面に圧接させることにより、前記シート状遮蔽部材を前記排水桝本体の内壁面に容易に固定することができる。
【発明の効果】
【００１９】
本発明に係る排水桝用防臭装置によれば、排水桝の大小に拘わらず容易に取り付けることができ、さらには安価に製造することができる。
【図面の簡単な説明】
【００２０】
【図１】本発明に係る排水桝用防臭装置の実施の形態の第１例を示す斜視図である。
【図２】図１のシート状遮蔽部材を示す正面図である。
【図３】第１例の排水桝用防臭装置を排水桝へ取り付けた状態を示す断面説明図である。
【図４】第１例の排水桝用防臭装置のシート状遮蔽部材が排水桝本体の上流管接続口に当接して遮蔽した状態を示す説明図である。
【図５】排水桝へ取り付けた第１例の排水桝用防臭装置が上流管への臭気ガスの逆流を防止する状態を示す説明図である。
【図６】第１例の排水桝用防臭装置を取り付けた排水桝へ上流管を流れる排水が上流管接続口から流入する状態を示す説明図である。
【図７】本発明に係る排水桝用防臭装置の実施の形態の第２例を示す斜視図である。
【図８】図７のシート状遮蔽部材を示す正面図である。
【図９】第１例、第２例の排水桝用防臭装置におけるシート状遮蔽部材の固定手段の他例を示す斜視図である。
【図１０】図９の固定手段でシート状遮蔽部材を固定した状態を示す説明図である。
【発明を実施するための形態】
【００２１】
以下、本発明に係る排水桝用防臭装置の実施の形態を図面を参照して詳細に説明する。
図１乃至図６は本発明に係る排水桝用防臭装置の実施の形態の第１例を示すものであり、図１は第１例の排水桝用防臭装置を示す斜視図、図２は図１のシート状遮蔽部材を示す正面図、図３は第１例の排水桝用防臭装置を排水桝へ取り付けた状態を示す断面説明図、図４は第１例の排水桝用防臭装置のシート状遮蔽部材が排水桝本体の上流管接続口に当接して遮蔽した状態を示す説明図、図５は排水桝へ取り付けた第１例の排水桝用防臭装置が上流管への臭気ガスの逆流を防止する状態を示す説明図、図６は第１例の排水桝用防臭装置を取り付けた排水桝へ上流管を流れる排水が上流管接続口から流入する状態を示す説明図である。
【００２２】
第１例の排水桝用防臭装置１は、家庭等で生じる排水を排出する排水管の中継点や合流点に設置され、排水管において家庭等側が上流管２として接続し、下水道本管（図示せず。）側が下流管３として接続されている排水桝４に取り付けられるものであり、排水桝本体５の内壁面に沿って垂下され排水桝本体５の内壁下部に開口する上流管接続口６に当接して遮蔽するシート状遮蔽部材７と、シート状遮蔽部材７の上部を排水桝本体５の内壁に固定する固定手段８とを備えている。
【００２３】
シート状遮蔽部材７は、可撓性ある素材で形成され、可撓性は、上流管２から流入する排水の流圧によって上流管接続口６を開く可撓性があることを要する。第１例では、シート状遮蔽部材７は合成樹脂製となっている。第１例で使用される合成樹脂は耐薬品性合成樹脂であることが好ましく、耐薬品性合成樹脂として、ポリプロピレン、ポリエチレン、塩化ビニル、ナイロン、ビニロン等が使用される。
シート状遮蔽部材７は、フィルム状でもよく、また織ったものであってもよい。
【００２４】
また、シート状遮蔽部材７の形状は、第１例では、図２に示すように、略四角形となっており、横幅が排水桝本体５の内周より長い寸法に形成され、排水桝本体５内に挿入し、排水桝本体５の内壁面に沿わせたとき、両側が重なり合うようになっている。また、縦幅は、排水桝本体５の深さに対応する寸法に形成されている。
【００２５】
そして、第１例では、シート状遮蔽部材７の下縁には、外形が上流管接続口６の形状に沿った形状の突面部９が形成されている。この突面部９は上流管接続口６の下半分を覆う半円状となっている。第１例では、突面部９の下端に、突面部９を下方に引っ張る錘１４が設けられている。この錘１４の重量は、上流管２から流入する排水の流圧によって容易に押し流される程度となっている。
また、シート状遮蔽部材７の両側下縁には、上下方向に切れ目が１０ａが入れられ容易に変形可能な吹き流し状部１０が形成されている。
【００２６】
また、第１例では、シート状遮蔽部材７に、上流管接続口６の上部近傍に位置で、シート状遮蔽部材７を排水桝本体５の内壁面の周壁に沿って張り広げる張り部材１１が設けられている。この張り部材１１は弾性素材で帯板状に形成されており、シート状遮蔽部材７の内面或いは外面、第１例では内面に、接着剤等の固定手段でシート状遮蔽部材７の横方向に向かって固定することにより設けられている。
そして、シート状遮蔽部材７を排水桝本体５内に挿入するとき、張り部材１１はシート状遮蔽部材７とともに排水桝本体５の内径より小径に曲げられ、シート状遮蔽部材７の排水桝本体５内への挿入後に、その復元力により、シート状遮蔽部材７を拡径させ排水桝本体５の内周壁に押し付けるようになっている。張り部材１１としては、合成樹脂板やスレンレス板が使用される。
【００２７】
また、シート状遮蔽部材７の上部を排水桝本体５の内壁に固定する固定手段８は、第１例では、外面を排水桝本体５の内壁面に圧接させる圧接面としたＣ型状のバンド本体１２と、バンド本体１２の両端内面側に配置され、バンド体１２を拡張させる拡張具１３を備えた構成となっている。バンド本体１２は、可撓性のある板で形成されている。第１例では、バンド本体１２としてステンレス板が使用されているが、これに限られない。また、拡張具１３にあっては、第１例ではターンバックルが使用されている、これに限られない。
【００２８】
このように構成された第１例の排水桝用防臭装置１は、次のようにして排水桝５に取り付けられる。
先ず、図１に示すように、シート状遮蔽部材７の内面側上縁を、両面テープ等の接着手段を使用して固定手段８となるバンド本体１２の外面に接着する。
バンド本体１２の外面へのシート状遮蔽部材７の接着位置にあっては、図１に示すように、バンド本体１２の一側部１２ａにシート状遮蔽部材７の一側部７ａを合わせるようにして接着する。そして、バンド本体１２の他側部１２ｂから延出しているシート状遮蔽部材７の他側部７ｂを、バンド本体１２の一側部１２ａに接着されているシート状遮蔽部材７の一側部７ａの外側に重ねるようにしてシート状遮蔽部材７を筒状にし、Ｃ型状のバンド本体１２に配置された拡張具１３を操作して、バンド本体１２を排水桝本体５の内径より小径に縮小させる。
【００２９】
これによりバンド本体１２の縮小に伴って縮径した筒状のシート状遮蔽部材７は、その両側部が重なった状態で、排水桝本体５の内径より小径の筒状となる。このとき、シート状遮蔽部材７に設けられている張り部材１１もバンド本体１２の縮径に伴って縮径方向に曲がり、シート状遮蔽部材７が筒状に形成されることを妨げない。
【００３０】
次に、このようにして筒状となったシート状遮蔽部材７を、排水桝本体５の上部から挿入し、シート状遮蔽部材７の下縁に形成されている半円状の突面部９を上流管接続口６の下半分に沿うところまで垂下させる（図４参照。）。この位置で、シート状遮蔽部材７の上縁を接着しているバンド本体１２も排水桝本体５内に挿入され、排水桝本体５の上部に位置する。
【００３１】
そして、突面部９が上流管接続口６の下半分に沿った位置で、バンド本体１２の圧接面となる外面を排水桝本体５の内壁面に押し付けるように押し当て、拡張具１３を操作して、バンド本体１２を拡張し、シート状遮蔽部材７をバンド本体１２の外面と排水桝本体５の内壁面との間に挟むようにしてバンド本体１２の外面を排水桝本体５の内壁面に圧接させる。これにより、排水桝本体５内に垂下したシート状遮蔽部材７は排水桝本体５の内壁面に固定される。
このとき、バンド本体１２の他側部１２ｂから延出しているシート状遮蔽部材７の他側部７ｂは、バンド本体１２の一側部に接着されているシート状遮蔽部材７の外側に重ねられた状態となっているので、シート状遮蔽部材７の他側部７ｂはバンド本体１２の一側部で排水桝本体５の内壁面に押し当てられ、バンド本体１２の外面と排水桝本体５の内壁面との間に挟まれた状態となる。
そして、シート状遮蔽部材７に設けられている張り部材１１はシート状遮蔽部材７の排水桝本体５内への挿入後に、その復元力により、シート状遮蔽部材７を拡径させ排水桝本体５の内周壁に押し付ける。
【００３２】
このようにして排水桝本体５の内壁面に固定されたシート状遮蔽部材７の下縁で上流管接続口６の上半分を覆い、シート状遮蔽部材７の下縁に形成されている半円状の突面部９で上流管接続口６を覆うことにより上流管接続口６を遮蔽する（図３参照。）。
第１例では、シート状遮蔽部材７に設けられている張り部材１１がその復元力により、シート状遮蔽部材７を排水桝本体５の内周壁に押し付けるので、シート状遮蔽部材７の下縁およびシート状遮蔽部材７の下縁に形成されている突面部９が上流管接続口６に密に近い状態で当接し、さらに、第１例では、突面部９の下端に、突面部９を下方に引っ張る錘１４が設けられているので、突面部９の下端の捲れが防止され、上流管接続口６の遮蔽をより確実なものとしている。
【００３３】
また、第１例では、シート状遮蔽部材７の両側下縁には、容易に変形可能な吹き流し状部１０が形成されているので、この吹き流し状部１０が排水桝本体５の内壁下部に開口し下流管３に接続して排水を流出する下流管接続口１５を塞いだ状態となるが、吹き流し状部１０は容易に変形可能となっており、排水の流圧により容易に変形し、排水の流出の妨げとはならない。
【００３４】
以上のように、第１例の排水桝用防臭装置１によれば、排水桝４への取り付けは、シート状遮蔽部材７を排水桝本体５の内壁面に沿って垂下して、排水桝本体５の内壁下部に開口する上流管接続口６に当接して遮蔽させた状態とし、この状態で固定手段８によりシート状遮蔽部材７の上部を排水桝本体５の内壁に固定するといった作業により排水桝４に取り付けることができる。
【００３５】
シート状遮蔽部材７の上部を排水桝本体５の内壁に固定する固定手段８として、第１例では、外面を排水桝本体５の内壁面に圧接させる圧接面としたＣ型状のバンド本体１２と、バンド本体１２の両端内面側に配置され、バンド本体１２を拡張させる拡張具１３を備えた構成としたので、簡単な操作でシート状遮蔽部材７の上部を排水桝本体５の内壁に容易に固定することができる。
第１例では、バンド本体１２の外面へのシート状遮蔽部材７の接着位置にあっては、図１に示すように、バンド本体１２の一側部１２ａにシート状遮蔽部材７の一側部７ａを合わせるようにして接着し、バンド本体１２の他側部１２ｂから延出しているシート状遮蔽部材７の他側部７ｂを、バンド本体１２の一側部１２ａに接着されているシート状遮蔽部材７の一側部７ａの外側に重ねるようにしてシート状遮蔽部材７を筒状にするので、バンド本体１２を拡張させたとき、シート状遮蔽部材７の他側部７ｂはバンド本体１２の一側部で排水桝本体５の内壁面に押し当てられ、バンド本体１２の外面と排水桝本体５の内壁面との間に挟まれた状態となって固定されることになり、シート状遮蔽部材７が薄く保形性が弱く撓みやすいものであっても、排水桝本体５内で筒状体を保つことができる。
【００３６】
また、第１例では、シート状遮蔽部材７に張り部材１１が設けられているので、排水桝本体５内に挿入したシート状遮蔽部材７は張り部材１１の復元力により、シート状遮蔽部材７を拡径させ排水桝本体５の内周壁に押し付けるので、上流管接続口６を効果的に遮蔽することができる。
【００３７】
第１例では、シート状遮蔽部材７の下縁に半円状の突面部９形成されているので、シート状遮蔽部材７の下縁で上流管接続口６の上半分を覆い、突面部９で上流管接続口６の下半分を覆うことにより上流管接続口６を確実に遮蔽することができ、さらに第１例では、突面部９の下端に、突面部９を下方に引っ張る錘１４が設けられているので、上流管接続口６の遮蔽をより確実なものとすることができ（図５参照。）、下流管３から排水桝本体５内へ臭気ガスが逆流してきた場合、上流管接続口６から上流管２への臭気ガスの逆流を防止することができる。
【００３８】
そして、シート状遮蔽部材７は上流管２から流入する排水によって上流管接続口６を開く可撓性を有しているので、上流管２からの排水を排水桝本体５内に流入させることができる。第１例では、シート状遮蔽部材７の下縁に、上流管接続口６の下半分を覆う突面部９が形成されているので、突面部９は折れ曲がり易く、上流管２からの排水が弱い流圧であっても突面部９が折れ曲がって、排水を排水桝本体５内に確実に流入させることができる（図６参照。）。
また、第１例では、シート状遮蔽部材７の両側下縁には、容易に変形可能な吹き流し状部１０が形成されているので、排水の流圧により容易に変形し、排水面に乗った状態で下流管接続口１５から下流管３内へ流れ、上流管２からの排水が激流となって排水桝本体５内に一度に流入して下流管３へ流出しても、吹き流し状部１０が排水面から離れず、吹き流し状部１０と排水面との間に空間の発生を抑えることから、下流管３への排水の流出により生じる負圧により臭気ガスの逆流が発生しても、臭気ガスの逆流を軽減することができる。
【００３９】
図７、図８は本発明に係る排水桝用防臭装置の実施の形態の第２例を示すものであり、図７は第２例の排水桝用防臭装置の斜視図、図８は図７のシート状遮蔽部材を示す正面図である。
第２例の排水桝用防臭装置１について、第１例と同一の構成については同一の符号を付しその説明を省略する。
第２例において第１例と異なる構成は、シート状遮蔽部材７の形状だけである。
【００４０】
第２例におけるシート状遮蔽部材７の形状は、図８に示すように、略四角形となっており、横幅が排水桝本体５の内周より短い寸法に形成され、排水桝本体５内に挿入し、排水桝本体５の内壁面に沿わせたとき、両側が重なり合わない寸法となっている。また、シート状遮蔽部材７の両側下縁には、第１例の吹き流し状部１０のような構成は無い。
【００４１】
このように構成された第２例の排水桝用防臭装置１によれば、シート状遮蔽部材７の横幅が排水桝本体５の内周より短い寸法に形成されているので、コストダウウンが図れる。
その他の構成及び効果は第１例と同様なので、第１例の説明を援用する。
【００４２】
図９は第１例、第２例の排水桝用防臭装置１におけるシート状遮蔽部材７の固定手段８の他例を示すものである。
図９に示す固定手段は、第１例、第２例における固定手段８を構成するバンド本体１２に押さえアーム１６が、バンド本体１２から垂下するように設けられている。押さえアーム１６は、長尺なアーム部１７と、押さえ板部１８とで構成され、長尺なアーム部１７の一端がバンド本体１２に取り付けられ、長尺なアーム部１７の他端に押さえ板部１８が取り付けられている。
【００４３】
このように構成された固定手段８による排水桝本体５の内壁面へのシート状遮蔽部材７の固定は、第１例で示した固定手段８と同様の操作で固定されるが、図９に示す固定手段８は、バンド本体１２に押さえアーム１６が、バンド本体１２から垂下するように設けられているので、排水桝本体５内へ挿入されたシート状遮蔽部材７は、押さえアーム１６により拡径方向に広げられ、排水桝本体５の内周壁に押し付けられ、上流管接続口６を効果的に遮蔽することができる。
また、図９に示す固定手段８を使用すれば、第１例、第２例で示すシート状遮蔽部材７に設けられている張り部材１１は必要なくなる。
【符号の説明】
【００４４】
１  排水桝用防臭装置
２  上流管
３  下流管
４  排水桝
５  排水桝本体
６  上流管接続口
７  シート状遮蔽部材
７ａ  一側部
７ｂ  他側部
８  固定手段
９  突面部
１０  吹き流し状部
１０ａ  切れ目
１１  張り部材
１２  バンド本体
１２ａ  一側部
１２ｂ  他側部
１３  拡張具
１４  錘
１５  下流管接続口
１６  押さえアーム
１７  アーム部
１８  押さえ板部
【図１】
2017226969.tif 000003
【図２】
2017226969.tif 000004
【図３】
2017226969.tif 000005
【図４】
2017226969.tif 000006
【図５】
2017226969.tif 000007
【図６】
2017226969.tif 000008
【図７】
2017226969.tif 000009
【図８】
2017226969.tif 000010
【図９】
2017226969.tif 000011
【図１０】
2017226969.tif 000012